(57)【要約】      （修正有）【課題】ハリを出すと共にファッション性を発揮させて新たなお洒落とすることができる、光沢剤入りスプレー洗濯糊を得る。【解決手段】天然若しくはポリマー樹脂製の糊剤の何れかと、パール光沢若しくは金属光沢を有する光沢剤のうちの１種以上の光沢剤とを混合し、これを高圧ガス若しくはハンドポンプによるエアゾール式の噴射容器の何れかに封入して構成する。これを噴射してアイロンがけを行うことにより、シャツの皺がのびると共にハリが出て、さらにはパール光沢若しくは金属光沢の輝きが生じてファッション性を発揮することができる。【選択図】図２
0003147302.tif 000002
【実用新案登録請求の範囲】
【請求項１】
天然若しくはポリマー樹脂製の糊剤の何れかと、パール光沢若しくは金属光沢を有する光沢剤のうちの１種以上の光沢剤とを混合し、これを高圧ガス若しくはハンドポンプによるエアゾール式の噴射容器の何れかに封入して構成することを特徴とした、光沢剤入りスプレー洗濯糊。
【考案の詳細な説明】
【技術分野】
【０００１】  本考案は、シャツやブラウス等の衣類にアイロンをかける際において、ハリを出すために用いるスプレー洗濯糊に関し、特にファッション性を発揮させることができる、光沢剤入りスプレー洗濯糊に関するものである。
【背景技術】
【０００２】  従来、シャツやブラウス等を洗濯して乾燥させた後、皺をのばすと共にハリを出すためにアイロンをかけている。この場合、洗濯時において、洗剤と一緒に洗濯糊を入れて洗濯を行うことが多いが、簡単に且つ部分的にアイロンをかける目的にあっては洗濯糊を入れずに洗濯を行い、アイロンをかける際において、部分的にスプレー洗濯糊を噴射してアイロンがけをするのが一般的である。【０００３】  上記スプレー洗濯糊は、その主成分は天然糊若しくはポリマー樹脂製の糊であり、他の副次効果的な成分は含まれない。従って、該スプレー洗濯糊をシャツやブラウス等の衣類に噴射してアイロンをかければ、皺がのびると共にハリが出ることになり、使用目的からすればこれで十分である。【０００４】  一方近年において、男性のお洒落に対する関心が女性に匹敵するほど増している。例えば男性がネックレスやリングさらにはピアスを付けるのは既に一般的となり、男性が化粧することも珍しくなくなり、男女問わずに新たなお洒落が益々求められている。【０００５】  上記新たなお洒落として、例えば特開平０６−１４５０２８号公報には、ヘアースプレー又は整髪料の中に純金粉を混合させて使用することにより育毛や養毛に効果があり、さらには髪の毛に純金がちりばめられて豪華絢欄なヘアーセットができる旨の純金入り整髪料及びヘアースプレーについて記載され、特開２００６−１１７６３０号公報には、着色剤と宝石類の粉末及び／又はパール類の粉末と化粧料とを含む化粧品組成物を噴射剤と共にエアゾールとして缶ないしボンベからなる容器に収納し、デコルテ（首から胸元の肌）又は素足に直接スプレー噴射して装飾模様を形成する旨の宝石入り化粧品について記載されている。【０００６】
【特許文献１】特開平０６−１４５０２８
【特許文献２】特開２００６−１１７６３０
【考案の開示】
【考案が解決しようとする課題】
【０００７】  上記特開平０６−１４５０２８号公報に記載のものは、髪の毛に純金がちりばめられて豪華絢欄なヘアーセットができるというお洒落は演出できるものの主体は純金粉による育毛や養毛であり、特開２００６−１１７６３０号公報に記載のものは、デコルテ又は素足に直接スプレー噴射して宝石粉による装飾模様を形成するというお洒落は演出できるものの主体は化粧料による化粧であり、男女問わず一般的に求められる新たなお洒落にはなり得ないという問題点があった。【０００８】  本考案は上記問題点を解決するために成されたものであり、シャツやブラウス等の衣類にアイロンをかける際において、ハリを出すと共にファッション性を発揮させて新たなお洒落とすることができる、光沢剤入りスプレー洗濯糊を提供することを目的とする。
【課題を解決するための手段】
【０００９】  上記課題を解決するため、本考案の光沢剤入りスプレー洗濯糊は、天然若しくはポリマー樹脂製の糊剤の何れかと、パール光沢若しくは金属光沢を有する光沢剤のうちの１種以上の光沢剤とを混合し、これを高圧ガス若しくはハンドポンプによるエアゾール式の噴射容器の何れかに封入して構成する。
【考案の効果】
【００１０】  本考案の光沢剤入りスプレー洗濯糊を使用すれば、洗濯後のシャツやブラウス等の衣類を簡単に且つ部分的にアイロンをかける用途において、目的部分に光沢剤入りスプレー洗濯糊を噴射してアイロンをかければ、皺がのびると共にハリが出て、さらにはパール光沢若しくは金属光沢の輝きが生じてファッション性を発揮させることができ、男女問わずに新たなお洒落が楽しめるという絶大なる効果を奏する。
【考案を実施するための最良の形態】
【００１１】  本考案を実施するための最良の形態を図を用いて説明する。【００１２】  図２は本考案の光沢剤入りスプレー洗濯糊を封入した噴射容器の部分断面図である。該図に示すように、本考案の光沢剤入りスプレー洗濯糊１は、天然若しくはポリマー樹脂製の糊剤４の何れかと、パール光沢若しくは金属光沢を有する光沢剤のうちの１種以上の光沢剤５とを混合し、これを高圧ガス若しくはハンドポンプによるエアゾール式の噴射容器３の何れかに封入して構成する。【００１３】  上記光沢剤５において、パール光沢の光沢剤５とは真珠表面の光沢を有するものでありパール顔料が好適である。また、金属光沢の光沢剤５とは金，銀，赤，青，緑等の色素を着色したアルミ箔等の金属粉が好適であるが、何れの光沢剤５も特にこれらに限定するものではない。【００１４】  また、上記光沢剤５と糊剤４とは適度な混合比にて混合し、エアゾール式の噴射容器３に封入する。図２では缶内に高圧ガスを密封したエアゾール式の噴射容器３を示したが、レバーを引くことにより内容液が噴射されるハンドポンプ（図示せず）タイプのエアゾール式の噴射容器などであっても構わない。【００１５】  次に、図１は本考案の光沢剤入りスプレー洗濯糊を衣類に噴射している状態を示した図である。該図に示すように、アイロンがけの対象であるシャツ２をアイロン台（図示せず）の上に広げ、アイロンがけをしたい箇所及びパール光沢若しくは金属光沢を出したい箇所、例えば胸元に前記光沢剤入りスプレー洗濯糊１の噴射容器３より光沢剤５が混合された糊剤４を噴射する。【００１６】  そして、通常のアイロンがけを行うことにより、シャツ２の襟元の皺がのびると共にハリが出て、さらにはパール光沢若しくは金属光沢の輝きが生じてファッション性を発揮させることができることになる。【００１７】  また、図３は本考案の光沢剤入りスプレー洗濯糊で仕上げた衣類を着た状態を示した図である。使用者６は、上記のようにしてアイロンがけをしたシャツ２を着た上に、さらにジャケット等の上着７を着ている。ここで、前記シャツ２の胸元には当該シャツ２の生地カラーやデザインとは異なるパール光沢若しくは金属光沢のキラキラとした輝きが生じているため、ファッション性を発揮させることができることになる。なお、図３では使用者６は男性であるが、ブラウスを着た女性であっても構わない。さらには、胸元以外にも襟元や袖口等いかなる箇所であっても構わない。このようにして、男女問わずに新たなお洒落が楽しめることになる。【００１８】  なお、上記シャツ２を洗濯する場合は、先に光沢剤５が付着している部分を水洗いして洗い落とし、その後で通常の洗濯物として洗うことができる。
【図面の簡単な説明】
【００１９】
【図１】本考案の光沢剤入りスプレー洗濯糊を衣類に噴射している状態を示した図である。
【図２】本考案の光沢剤入りスプレー洗濯糊を封入した噴射容器の部分断面図である。
【図３】本考案の光沢剤入りスプレー洗濯糊で仕上げた衣類を着た状態を示した図である。
【符号の説明】
【００２０】  １  光沢剤入り洗濯糊
２  シャツ
３  噴射容器
４  糊剤
５  光沢剤
６  使用者
７  上着
【図１】
0003147302.tif 000003
【図２】
0003147302.tif 000004
【図３】
0003147302.tif 000005